(57)【要約】  【課題】  網戸の汚れのみならず、網戸周りのサッシュの溝、ベランダなどの汚れをも取り除き得ながら吸い込めるようにすることにより清掃時間の短縮化、清掃ブラシの手入れ回数の減少を図れ、また取り除かれる汚染物を周囲に飛散したり、落下したりすることなく清掃できる清掃用具を提供する。  【解決手段】  電気掃除機１の吸込みホース２の先端側に対して着脱可能に接続される接続パイプ部３と、該接続パイプ部３の先端部に接続された吸込口体４とを備える。吸込口体４の内部空間は接続パイプ部３の内部通路に連通する上側通路７と下側通路８に仕切っている。吸込口体４の前面側部分に前側吸込口１３を上側通路７に連通するよう設け、その底面側部分に底側吸込口１８を下側通路８に連通するよう設けている。前側吸込口１３には無数の短い立毛１９ａを上方向ａに伏倒して密生させた合成繊維製もしくは布製の面状ブラシ１９を備えた面状ブラシ板２０を取り付け、底側吸込口１８には比較的硬くて長いブラシ２２を植設したブラシ台２３を取り付けている。【選択図】      図３
2006181170.tif 000002
【特許請求の範囲】
【請求項１】
電気掃除機の吸込みホースの先端側に対して着脱可能に接続される接続パイプ部と、該接続パイプ部の先端部に接続された吸込口体とを備えており、
前記吸込口体はその平面が左右横幅方向に長く、前後方向に短い長方形状に形成され、かつその内部空間が前記接続パイプ部の内部通路に連通する上側通路と下側通路に仕切られており、
前記吸込口体はその前面側部分に前側吸込口を前記上側通路に連通するよう設け、その底面側部分に底側吸込口を前記下側通路に連通するよう設けており、
前記前側吸込口には無数の短い立毛を上方向に伏倒して密生させた合成繊維製もしくは布製の面状ブラシを備えた面状ブラシ板を取り付け、前記底側吸込口にはブラシを植設したブラシ台を取り付けており、
前記接続パイプ部の先端部は前記吸込口体の後端部に対して相対回動自在に接続するとともに、前記接続パイプ部の内部通路に該内部通路の断面半分を塞ぐ塞ぎ板を設けて、前記接続パイプ部を前記吸込口体に対して１８０度回動させることで、前記接続パイプ部の内部通路が前記上側通路に連通する状態と、前記接続パイプ部の内部通路が前記下側通路に連通する状態とに切り替えられるようにしてあることを特徴とする、清掃用具。
【請求項２】
前記接続パイプ部の先端部の内周に出没自在な係合子を設け、前記吸込口体の後端部外周の正対する二箇所に、前記係合子が係脱する第１，２位置決め用凹部を設けて、前記係合子が前記第１位置決め用凹部に係合することで前記接続パイプ部の内部通路が前記上側通路に連通する状態を保持し、前記係合子が前記第２位置決め用凹部に係合することで前記接続パイプ部の内部通路が前記下側通路に連通する状態を保持するようにしてある、請求項１記載の清掃用具。
【請求項３】
前記面状ブラシ板が前記前側吸込口に軸回りに上下回動可能に取り付けられている、請求項１又は２に記載の清掃用具。
【請求項４】
前記面状ブラシ板が前記前側吸込口に着脱可能に取り付けられている、請求項１ないし３のいずれか１項に記載の清掃用具。
【発明の詳細な説明】
【技術分野】
【０００１】
本発明は、電気掃除機の吸込みホースの先端側に取り付けて網戸や網戸周りのサッシュ、ベランダなどを清掃するのに有用な清掃用具に関する。
【背景技術】
【０００２】
網戸の清掃用具として、たとえば、網戸の汚れを拭き取るための不織布や織布など拭布と、この拭布を装着して清掃作業を行う清掃具本体とからなり、清掃具本体が、略矩形のプレート状をなすスポンジ体と、該スポンジ体の上面に取り付けられた保持板と、該保持板に取り付けた柄とで構成されたものがある（例えば、特許文献１参照。）。
【０００３】
【特許文献１】特開２００３−４７７号公報
【発明の開示】
【発明が解決しようとする課題】
【０００４】
しかるに、上記清掃用具では、一枚の網戸の汚れを拭布で拭き取るのに時間が長くかかり、また、使用により拭布に汚れが激しく滞って付着するため、その汚れを水や洗浄液で取り除いたり、洗い落としたりする手入れを頻繁に行う必要がある。さらに、清掃時に拭布で拭き取られる汚染物が網戸の嵌め込まれたサッシュの溝やベランダなどに飛散し、サッシュの溝内に落ちたごみは別の清掃ブラシ等で取り除かなければならないという課題を有している。
【０００５】
本発明の目的は、このような問題を解消するためになされたもので、網戸の汚れのみならず、網戸周りのサッシュの溝、ベランダなどの汚れをも取り除き得ながら吸い込めるようにすることにより清掃時間の短縮化、清掃ブラシの手入れ回数の減少を図れ、また取り除かれる汚染物を周囲に飛散したり、落下したりすることなく清掃できる清掃用具を提供することにある。
【課題を解決するための手段】
【０００６】
本発明の清掃用具は、電気掃除機の吸込みホースの先端側に対して着脱可能に接続される接続パイプ部と、該接続パイプ部の先端部に接続された吸込口体とを備えており、前記吸込口体はその平面が左右横幅方向に長く、前後方向に短い長方形状に形成され、かつその内部空間が前記接続パイプ部の内部通路に連通する上側通路と下側通路に仕切られており、前記吸込口体はその前面側部分に前側吸込口を前記上側通路に連通するよう設け、その底面側部分に底側吸込口を前記下側通路に連通するよう設けており、前記前側吸込口には無数の短い立毛を上方向に伏倒して密生させた合成繊維製もしくは布製の面状ブラシを備えた面状ブラシ板を取り付け、前記底側吸込口には比較的硬くて長いブラシを植設したブラシ台を取り付けており、前記接続パイプ部の先端部は前記吸込口体の後端部に対して相対回動自在に接続するとともに、前記接続パイプ部の内部通路に該内部通路の断面半分を塞ぐ塞ぎ板を設けて、前記接続パイプ部を前記吸込口体に対して１８０度回動させることで、前記接続パイプ部の内部通路が前記上側通路に連通する状態と、前記接続パイプ部の内部通路が前記下側通路に連通する状態とに切り替えられるようにしてあることに特徴を有するものである。
【０００７】
一つの好適な態様として、本発明による清掃用具は、前記接続パイプ部の先端部の内周に出没自在な係合子を設け、前記吸込口体の後端部外周の正対する二箇所に、前記係合子が係脱する第１，２位置決め用凹部を設けて、前記係合子が前記第１位置決め用凹部に係合することで前記接続パイプ部の内部通路が前記上側通路に連通する状態を保持し、前記係合子が前記第２位置決め用凹部に係合することで前記接続パイプ部の内部通路が前記下側通路に連通する状態を保持するようにすることができる。また、前記面状ブラシ板は前記前側吸込口に軸回りに上下回動可能に取り付けることができ、着脱可能に取り付けることもできる。
【発明の効果】
【０００８】
上記構成の清掃用具によれば、ひとつの吸込口体に前側吸込口と底側吸込口とを設け、前側吸込口には無数の短い立毛を上方向に伏倒して密生させた合成繊維製もしくは布製の面状ブラシを備えた面状ブラシ板を、底側吸込口には比較的硬くて長いブラシを植設したブラシ台をそれぞれ取り付けている。したがって、サッシュに嵌め込まれた網戸を清掃するときは、接続パイプ部を吸込口体の後端部に対して回動させることで接続パイプ部の内部通路が上側通路、前側吸込口に連通する状態に切り替えたうえで、接続パイプ部を電気掃除機の吸込みホースや延長管の先端側に接続し、清掃用具を上下反転させることにより面状ブラシ板上に密生させた無数の短い立毛の伏倒方向を下向きに変えて、面状ブラシを網面に対し立毛の伏倒方向に摺擦する。この摺擦により立毛が網目に入り、網目に付着しているごみや埃を、水や洗浄液を使うことなく、また網目線を位置ずれさせたり変形させたりすることなく、容易にきれいにこすり取って前側吸込口、上側通路、接続パイプ部内を経て電気掃除機の集塵部へ吸引集塵することができ、従来の柄付きブラシにより拭き取るに要する清掃時間に比べて極めて短時間で能率よく清掃することができる。また、面状ブラシ板上の密生立毛により拭き取られるごみは電気掃除機の集塵部へ吸引集塵されるため、従来の柄付きブラシによる拭き取るのごとき周囲にごみを飛散させることなく清掃でき、面状ブラシ板の汚れも少ないためこれを水や洗浄液で洗う手入れ回数も少なくて済む。
【０００９】
また、この清掃時には接続パイプ部の内部通路が塞ぎ板により下側通路と非連通状態になっているので、底側吸込口からの吸込みを阻止することができ、前側吸込口からの吸込み力をアップし効率良く吸引集塵できる。
【００１０】
そして、網戸のサッシュの溝に入ったごみは、清掃用具を底側吸込口内の比較的硬くて長いブラシが下向きになる元の向きに反転させて持ち替え、接続パイプ部を吸込口体の後端部に対して回動させることで接続パイプ部の内部通路が下側通路、底側吸込口に連通する状態に切り替えたうえで、比較的硬くて長いブラシを使用することによりサッシュ溝内のごみを底側吸込口、下側通路、接続パイプ部内を経て電気掃除機の集塵部へ吸引集塵することができる。また、サッシュやベランダなどにこびりついている汚れもその比較的硬くて長いブラシで取り除くことができる。この場合においては接続パイプ部の内部通路が塞ぎ板により上側通路と非連通状態になっているので、前側吸込口からの吸込みを阻止することができ、底側吸込口からの吸込み力をアップし効率良く吸引集塵できる。
【００１１】
面状ブラシ板は前側吸込口に軸回りに上下回動可能に取り付けておくと、網戸など被清掃面に対し該面状ブラシ板上の密生させた短い立毛を均一に摺接することができて清掃効率を上げることができる。また面状ブラシ板は前側吸込口に着脱可能に取り付けておくと、これを前側吸込口から外して水や洗浄液で容易に洗うことができて有利である。
【発明を実施するための最良の形態】
【００１２】
本発明の好適な実施形態を図面に基づき説明する。図１は本発明の一実施例を示す清掃用具を正面側から見た斜視図、図２は同清掃用具を底側から見た斜視図、図３は図１におけるＡ−Ａ線断面図、図４は同清掃用具の仕切板の平面図および面状ブラシ板の中央断面図である。
【００１３】
本発明に係る清掃用具は、図１ないし図３に示すように、電気掃除機１の吸込みホース２や延長管の先端側に対して着脱可能に接続される合成樹脂製の接続パイプ部３と、この接続パイプ部３の先端に接続される合成樹脂製の吸込口体４とを備える。
【００１４】
吸込口体４は、平面形状が左右横幅方向に長く前後方向に短い長方形状の上下ケース４ａ，４ｂを仕切板５を介し突き合わせてねじ６により一体的に結合することにより接続パイプ部３の内部通路と連通する上側通路７と下側通路８に仕切板５を介して仕切られる内部空間を有する偏平な箱形状に形成されている。上ケース４ａは上壁９、左右壁１０，１１および後壁１２を有して、上壁９と仕切板５間に形成する上側通路７の前方であって上壁９の上向きに拡げた形の上向き前端９ａと仕切板５の前端との間に対応する位置に左右横長の前側吸込口１３を形成する。下ケース４ｂは底壁１４、左右壁１５，１６および後壁１７を有して、底壁１４と仕切板５間に形成する下側通路８の前方であって底壁１４の前側切欠端１４ａと仕切板５の前端との間に対応する位置に左右横長の底側吸込口１８を形成する。
【００１５】
前側吸込口１３には、無数の短い立毛１９ａを上方向（図３中、矢印方向ａ）に伏倒して密生させてなる合成繊維製もしくは布製の面状ブラシ１９を貼り付けた面状ブラシ板２０を取り付ける。その際、この面状ブラシ板２０はこれの左右端に突設した軸２１を上ケース４ａの左右側壁１０，１１又は下ケース４ｂの左右側壁１５，１６の内面に回動可能に係合させることによって該軸２１回りに上下回動可能に取り付けられる。面状ブラシ板２０上の面状ブラシ１９は断面凸円弧状に設けて被清掃面に対し摺接し易くしている。また、面状ブラシ板２０は軸２１回りに上下回動可能で変向自在に取り付けることで網戸など変形しやすい被清掃面においても面状ブラシ１９を効率的に摺接させて使用できる。無数の短い立毛１９ａを上方向に伏倒して密生させてなる面状ブラシ１９は、被清掃面、たとえば網戸の網を清掃する場合、立毛１９ａの伏倒方向に摺擦することにより立毛１９ａが網目に入り、網目に付着しているごみや埃を、水や洗浄液を使うことなく、容易にきれいにこすり取ることができる。
【００１６】
面状ブラシ板２０上の立毛１９ａを有する合成繊維製もしくは布製の面状ブラシ１９は使用に伴い汚れるとこれを水や洗浄液で洗うことができるように、前側吸込口１３に対して着脱可能に取り付ける。この面状ブラシ１９の洗浄後、面状ブラシ板２０を前側吸込口１３に取り付けるときに、立毛１９ａの伏倒方向が上下逆向きになるような誤った取り付けがなされないように、図４に示すように面状ブラシ板２０の左右いずれか一方に偏した箇所に凹部３３を設ける一方、仕切板５の前端の、前記凹部３３に対応する箇所に凸部３４を設けて、凹凸部３３，３４の両者が一致してはじめて面状ブラシ板２０を前側吸込口１３に組み込むことができ、面状ブラシ板２０を左右逆向きでは取り付けることができないようにしている。
【００１７】
底側吸込口１８には、サッシュの溝内のごみやベランダにこびりついた汚れを取り除くのに有効な比較的硬くて長いブラシ２２が左右横幅方向に数列に植設されたブラシ台２３がブラシ２２を下向きにするよう取り付けられる。例えば、そのブラシ台２３は仕切板５の前端部下面に左右方向に亘って設けた凹溝３５に嵌合固定する。
【００１８】
図３に示すように、上下ケース４ａ，４ｂの後壁１２，１７の左右横幅方向中央部には断面半円の分割受口２４ａ，２４ｂを斜め上向き後方へ一体に突設する一方、仕切板５の後端の左右横幅方向中央部には突片２５を斜め上向き後方へ一体に突設する。この両分割受口２４ａ，２４ｂどうしを突片２５を介して突き合わせることによりパイプ受口２４がこれの内部を突片２５で仕切られる形態に形成される。このパイプ受け口２４に接続パイプ部３の先端部３ａが回動自在に外嵌されることで吸込口体４の後端部に対して接続パイプ部３が相対回動自在に接続される。
【００１９】
図３に示すように、接続パイプ部３の内部通路に該内部通路の断面半分を塞ぐ塞ぎ板２６を一体に設けて、接続パイプ部３を吸込口体４のパイプ受口２４に対して１８０度回動させることで、接続パイプ部３の内部通路が上側通路７、前側吸込口１３に連通する状態と、接続パイプ部３の内部通路が下側通路８、底側吸込口１８に連通する状態とに切り替えられるようにしてある。接続パイプ部３の内部通路が上側通路７、前側吸込口１３に連通する状態と、接続パイプ部３の内部通路が下側通路８、底側吸込口１８に連通する状態とにそれぞれ確実に停止保持できるように接続パイプ部３の先端部３ａの内周一部から外方へ膨出状に突設した膨出部３ｂ内に弾性部材２７を介して出没自在な位置決め用の係合子２８を設ける一方、パイプ受口２４の外周の正対する二箇所に、係合子２８が係脱する第１，２位置決め用の凹部２９，３０を設けている。
【００２０】
上下ケース４ａ，４ｂの左側壁１０，１５同士の合わせ目及び右側壁１１，１６どうしの合わせ目（図１参照）には吸込口体４が他物と衝突したときに緩衝する目的でクッション３１を取り付けている。底壁１４には左右一対の車輪３２を取り付けている。
【００２１】
次に、上記構成の清掃用具の使用要領について説明する。
使用に先立って、接続パイプ部３を電気掃除機１の吸込みホース２や延長管の先端側に接続して電気掃除機１のスイッチを入れる。かくして、サッシュに嵌め込まれている網戸を清掃する場合は、接続パイプ部３を吸込口体４のパイプ受口２４に対して回動させて係合子２８を第１位置決め用凹部２９に係合させることで接続パイプ部３の内部通路が上側通路７、前側吸込口１３に連通する状態に切り替えたうえで、図５に示すように、清掃用具を上下反転させることにより無数の短い立毛１９ａの伏倒方向ａを下向きに変えて、面状ブラシ１９を網面Ｍに対し立毛１９ａの伏倒方向ａに摺擦することにより立毛１９ａが網目に入り、網目に付着しているごみや埃を、水や洗浄液を使わなくても容易にきれいにこすり取れて前側吸込口１３、上側通路７、接続パイプ部３内を経て電気掃除機１の集塵部（図示せず）へ吸引集塵することができる。その際、無数の短い立毛１９ａを密生させた面状ブラシ１９によれば、網戸の網目に摺擦するとき網目線を位置ずれさせたり変形させたりすることなく、網目に付着のごみや埃を容易にこすり落とすことができる。また、その面状ブラシ１９は軸２１回りに回動可能で変向自在であるので網戸など変形しやすい被清掃面においても面状ブラシ１９を効率的に使用できる。
【００２２】
そして、網戸周りのサッシュの溝やベランダなどが汚れているときは、比較的硬くて長いブラシ２２が下向きになるように清掃用具を反転させて元の向きに持ち替え、接続パイプ部３を吸込口体４のパイプ受口２４に対して１８０度回動させて係合子２８を第２位置決め用凹部３０に係合させることで接続パイプ部３の内部通路が下側通路８、底側吸込口１８に連通する状態に切り替えたうえで、比較的硬くて長いブラシ２２を使用することによりサッシュ溝内のごみやベランダにこびりついている汚れも容易にこすり取ることができて底側吸込口１８、下側通路８、接続パイプ部３内を経て電気掃除機１の集塵部（図示せず）へ吸引集塵することができる。
【図面の簡単な説明】
【００２３】
【図１】本発明の一実施例を示す清掃用具を正面側から見た斜視図である。
【図２】同清掃用具を底側から見た斜視図である。
【図３】図１におけるＡ−Ａ線断面図である。
【図４】同清掃用具の仕切板の平面図および面状ブラシ板の中央断面図である。
【図５】同清掃用具の一使用例図である。
【符号の説明】
【００２４】
１  電気掃除機
２  吸込みホース
３  接続パイプ部
４  吸込口体
５  仕切板
７  上側通路
８  下側通路
１３  前側吸込口
１８  底側吸込口
１９ａ  立毛
１９  面状ブラシ
２０  面状ブラシ板
２１  軸
２２  比較的硬くて長いブラシ
２３  ブラシ台
２６  塞ぎ板
２８  係合子
２９  第１，２位置決め用の凹部
３０  第２位置決め用凹部
【図１】
2006181170.tif 000003
【図２】
2006181170.tif 000004
【図３】
2006181170.tif 000005
【図４】
2006181170.tif 000006
【図５】
2006181170.tif 000007